(57)【特許請求の範囲】
【請求項１】
鳥獣が嫌がる音波、又はエンジン音を発生するスピーカ部と、
このスピーカ部から発生する音波の進行方向に対向して取り付けられ、この音波を反射させる反射板と、
この反射板に向かい合う位置に並べて取り付けられ、この反射板にて反射された音波を反射する複数のルーバとを具備し、
前記反射板は、この反射板の各位置で反射する音波のそれぞれを前記ルーバ側へ反射させ、
前記ルーバは、前記反射板にて反射された音波を、前記ルーバの一主面にて反射させてから、このルーバの一主面に対向して設置された他のルーバの他主面にて反射させて、この音波を前記ルーバの幅方向に集中または拡散させる
ことを特徴とするスピーカ装置。
【請求項２】
各ルーバは、これら各ルーバの幅方向に直交する前後方向を、反射板の一端部から他端部に向かう長手方向に略直交させ、これら各ルーバそれぞれの前側を上方に傾けた状態で取り付けられている
ことを特徴とする請求項１記載のスピーカ装置。
【請求項３】
一対の側板を備え、これら一対の側板の幅方向の一側間にスピーカ部が取り付けられ、これら一対の側板間に反射板が取り付けられ、これら一対の側板の長手方向の一端間にルーバが取り付けられ、前記反射板の一端部および他端部の少なくともいずれか一方に沿って開口部が形成されたケースを具備している
ことを特徴とする請求項１または２記載のスピーカ装置。
【発明の詳細な説明】
【技術分野】
【０００１】
本発明は、反射板を有するスピーカ装置に関する。
【背景技術】
【０００２】
従来、この種のスピーカ装置の利用方法としては、例えば下記特許文献１に記載のように、鳥獣が人間の生活区域に接近等することによる被害を防止することを目的とした鳥獣撃退装置が知られている。
【０００３】
この鳥獣撃退装置では、スピーカから特定の鳥獣が嫌がる所定周波数の音を継続して発生さえて鳥獣を追い払うものであって、略直方体状の筐体の一側面に露出させた状態でスピーカが取り付けられている。
【先行技術文献】
【特許文献】
【０００４】
【特許文献１】特開２００８−１１７７７号公報
【発明の概要】
【発明が解決しようとする課題】
【０００５】
しかしながら、上記特許文献１にかかる従来技術によれば、筐体の一側面に露出させてスピーカが取り付けられているため、鳥獣撃退装置を野外に設置した場合に、雨や風がスピーカに当たってしまう。特に、ムクドリ等のように、スピーカを上に向けて音波を発生させる必要の場合においては、装置の設置場所等に対応させて、スピーカから発生させる音波を集中または拡散させる必要があるとともに、降り注ぐ雨を直接受けスピーカが濡れる等し、ゴミ等の異物の侵入が容易であるため、スピーカが容易に故障または損傷等してしまうおそれがあるといった問題を有している。
【０００６】
そこで本発明は、従来技術における上記問題を解決し、スピーカ部の損傷をより確実に防止できつつ、このスピーカ部から発生させる音波を集中または拡散できるスピーカ装置を提供することを目的とする。
【課題を解決するための手段】
【０００７】
この課題を解決するため、請求項１にかかる本発明は、鳥獣が嫌がる音波、又はエンジン音を発生するスピーカ部と、このスピーカ部から発生する音波の進行方向に対向して取り付けられ、この音波を反射させる反射板と、この反射板に向かい合う位置に並べて取り付けられ、この反射板にて反射された音波を反射する複数のルーバとを具備し、前記反射板は、この反射板の各位置で反射する音波のそれぞれを前記ルーバ側へ反射させ、前記ルーバは、前記反射板にて反射された音波を、前記ルーバの一主面にて反射させてから、このルーバの一主面に対向して設置された他のルーバの他主面にて反射させて、この音波を前記ルーバの幅方向に集中または拡散させる、ことを特徴とするスピーカ装置である。
【０００８】
請求項２は、請求項１のスピーカ装置において、各ルーバは、これら各ルーバの幅方向に直交する前後方向を、反射板の一端部から他端部に向かう長手方向に略直交させ、これら各ルーバそれぞれの前側を上方に傾けた状態で取り付けられている、ことを特徴とする。
【０００９】
請求項３は、請求項１または２のスピーカ装置において、一対の側板を備え、これら一対の側板の幅方向の一側間にスピーカ部が取り付けられ、これら一対の側板間に反射板が取り付けられ、これら一対の側板の長手方向の一端間にルーバが取り付けられ、前記反射板の一端部および他端部の少なくともいずれか一方に沿って開口部が形成されたケースを具備している、ことを特徴とする。
【発明の効果】
【００１０】
本発明によれば、スピーカ部から発生する音波やエンジン音の進行方向に対向して取り付けられた反射板によって、この音波を反射させた後に、この反射板に向かい合う位置に並べて取り付けられた複数のルーバにて反射させてから放出させる。このため、この音波が放出される部分と、この音波を発生させるスピーカ部とを離すことができるため、このスピーカ部への外部からの異物の侵入を防止でき、このスピーカ部の損傷をより確実に防止できる。
【００１１】
さらに、反射板の各位置で反射する音波のそれぞれをルーバ側へ平行に反射させてから、この反射板にて反射された音波を、各ルーバの一主面にて反射させた後、これら各ルーバの他主面にて反射させて、この音波をルーバの幅方向に集中または拡散させるため、スピーカ部から発生させた音波を効率良く幅方向に集中または拡散できる。
【００１２】
そして、各ルーバの幅方向に直交する前後方向を、反射板の一端部から他端部に向かう長手方向に略直交させ、これら各ルーバそれぞれの前側を上方に傾けた状態としているため、これら各ルーバに対向する下方からの雨や埃等の異物の混入を防止することができるとともに、これら各ルーバに沿って混入してくる雨や埃等の異物を、反射板にて受けとめて下方に排出することができる（例えば、図３参照。）
【００１３】
さらに、スピーカ部、反射板およびルーバが取り付けられたケースに、反射板の一端部および他端部の少なくともいずれか一方に沿って開口部を形成したことにより、例えば、図４に示すように、各ルーバを上方に向けて設置した場合において、ケース内へ侵入した雨や埃等の異物を、反射板にて受けとめて開口部から確実に外部に排出できる。
【図面の簡単な説明】
【００１４】
【図１】本発明の第１の実施の形態のスピーカ装置を示す分解斜視図である。
【図２】上記スピーカ装置による音波の伝搬方法を示す説明図である。
【図３】上記スピーカ装置内の水および空気の侵入経路を示す説明図である。
【図４】本発明の第２の実施の形態のスピーカ装置を上向きに設置した状態での排水経路を示す説明図である。
【図５】本発明の第３の実施の形態のスピーカ装置を示す概略説明図である。
【発明を実施するための最良の形態】
【００１５】
本発明の第１の実施の形態に係るスピーカ装置について図１ないし図４を参照して説明する。
【００１６】
＜全体構成＞
スピーカ装置１は、ムクドリ・カラス・川鵜・鼠・猿・熊・猪・鹿・ハクビシン等の人間の生活環境に危害を与えるおそれを有する特定の鳥獣が嫌がる所定の周波数の超音波等の音波Ａを連続的または継続的に発生させて、これら特定の鳥獣を追い払うための鳥獣撃退装置（図示せず）の音出力部に用いられるものである。なお、この鳥獣撃退装置は、農地・観光地・住宅地・ごみ集積所等の屋外や屋内に設置され鳥獣の接近や侵入を防止するための鳥獣忌避装置である。そして、スピーカ装置１は、建物や畑等に固定させて設置するための固定用害獣撃退装置の音出力部、鉄道や自動車等の車両に搭載させるための車載用害獣撃退装置の音出力部、航空機等に搭載させるための、超音波を用いたバードストライク防止装置の音出力部等に用いることもできる。
【００１７】
具体的に、スピーカ装置１は、ケース２と、特定の鳥獣の嫌がる所定の周波数の音波Ａである忌避音を発生させるスピーカ部３と、このスピーカ部３から発生する音波を反射させる反射板４と、この反射板４にて反射された音波Ａを集中または拡散させるための複数、例えば４枚のルーバ５とを備えている。そして、これらスピーカ部３、反射板４およびルーバ５のそれぞれは、ケース２に取り付けられて固定されている。
【００１８】
＜ケース＞
ケース２は、一対の矩形平板状の側板としての側部プレート２１を備えている。これら一対の側部プレート２１は、水平方向に対し垂直にさせた状態で水平に並べられている。さらに、これら各側部プレート２１の幅方向である上下方向の両端縁のそれぞれが外側に垂直に折り曲げられて取付リブ２１ａが設けられている。また、これら各側部プレート２１の長手方向である水平方向の一端縁としての後端縁も、外側に垂直に折り曲げられて端部リブ２１ｂが設けられている。
【００１９】
さらに、これら一対の側部プレート２１の水平方向の他端縁である前端縁のそれぞれには、複数、例えば４つの取付スリット２１ｃが設けられている。これら取付スリット２１ｃは、ルーバ５を取り付けるために切り欠かれた取付凹部である。また、これら取付スリット２１ｃは、各側部プレート２１の前端縁から、下方に向けて所定の角度、例えば４５°に傾斜させて直線状に形成されており、各取付スリット２１ｃ間が平行となるように設けられている。そして、各側部プレート２１の前端縁の上側には、各取付スリット２１ｃと平行になるように、傾斜部２１ｄが設けられている。この傾斜部２１ｄは、上端側の取付リブ２１ａの前端部から上方に向けて斜め４５°に傾斜させた直線状に形成されている。
【００２０】
また、一対の側部プレート２１の上下方向における下側縁の内側面２１ｅの間には、底板としての底部プレート２２が取り付けられている。この底部プレート２２は、長手方向の両端縁がそれぞれ下方に垂直に折り曲げられて端部リブ２２ａが設けられているとともに、この底部プレート２２の幅方向の両側縁もそれぞれ下方に垂直に折り曲げられて側部リブ２２ｂが設けられている。そして、この底部プレート２２は、この底部プレート２１の側部リブ２２ｂを、各側板プレート２１の内側に位置する一側面である内側面２１ｅに当接させた状態でねじ止めされて取り付けられている。
【００２１】
＜スピーカ部＞
そして、これら一対の側部プレート２１の幅方向の一側である上側にスピーカ部３が取り付けられている。このスピーカ部３は、一対の側部プレート２１の間に橋渡しさせた状態で取り付けられている。具体的に、このスピーカ部３は、略円盤状の支持ヨーク３１と、この支持ヨーク３１の一端側に取り付けられたフレーム３２とを備えている。このフレーム３２は、支持ヨーク３１に取り付けられている側である基端側から先端側に向けて拡開した形状に形成されている。また、このフレーム３２の内部には、支持ヨーク３１にて電気信号から変換された音声信号を増幅させるコーン（図示せず）が取り付けられている。さらに、このフレーム３２の先端部の開口部３２ａは、平面視略矩形状に形成されている。そして、この開口部３２ａの周縁には、平板状の取付リブ３２ｂが、この開口部３２ａの周縁を覆うように設けられている。
【００２２】
フレーム３２の開口部３２ａには、樹脂製のメッシュである網状の防水ネット３３と、粉塵の混入を防止する金属製のメッシュである網状の粉塵ネット３４とが取り付けられている。これら防水ネット３３および粉塵ネット３４は、これら防水ネット３３および粉塵ネット３４の周縁をフレーム３２の取付リブ３２ｂに接着等させて固定されており、このフレーム３２の開口部３２ａを覆うように取り付けられている。さらに、スピーカ部３は、このスピーカ部３のフレーム３２の開口部３２ａを下側に向けた状態で取り付けられている。そして、このスピーカ部は、フレーム３２の開口部３２ａを覆う取付リブ３２ｂを、ケース２の一対の側部プレート２１の上端側の取付リブ２１ａ上に載置させた状態で、これら取付リブ２１ａ間がねじ止めされて固定され、この一対の側部プレート２１の上側に取り付けられている。
【００２３】
＜反射板＞
そして、これら一対の側部プレート２１の間には、矩形平板状の平板状の反射板４が取り付けられている。この反射板４は、スピーカ部３から発生された音波Ａを反射させる際に、反射板Ａの表面である反射面４１の各位置で反射する音波Ａのそれぞれを平行に反射させることができ、スピーカ部から発生する音波の放射角度を補正することができるように長手方向が湾曲された湾曲形状に形成されている。すなわち、この反射板４は、この反射板４の湾曲した方向である湾曲方向としての長手方向の一端側である上端側から下端側に向けて徐々に曲率を大きくさせた凹弧状に形成されている、そして、この反射板４は、この反射板４の長手方向の一端側を、一対の側部プレート２１の上端縁に位置させ、この反射板４の長手方向の他端側を、一対の側部プレート２１の下端部に位置させた状態で取り付けられている。言い換えると、この反射板４は、この反射板４の長手方向の一端部をスピーカ部３のフレーム３２の開口部３２ａの開口縁に近接させた状態で取り付けられている。
【００２４】
ここで、この反射板４は、この反射板４の一端側をケース２の一対の側部プレート２１の上端縁から所定間隔下方に位置させた状態として取り付けられており、この反射板４の一端部とスピーカ部３のフレーム３２との間に所定の間隙を形成させている。なお、この間隙は、例えばスピーカ装置１のケース２の長手方向を上下方向に沿わせて設置させ、このスピーカ装置１の反射板４の反射面４１を上方に向けた状態で設置させた場合に、このケース２内へと入り込んだ水や粉塵等を排出させるスリット４２として機能する。
【００２５】
さらに、この反射板４は、スピーカ部３の開口部３２ａに対向させて一対の側部プレート２１間に取り付けられており、この反射板４の長手方向の中心位置が所定の角度、例えば４５°の角度となるように取り付けられている。すなわち、この反射板４は、スピーカ部３から発生する音波Ａの進行方向に対向させて取り付けられている。また、この反射板４は、この反射板４の長手方向の他端部を、一対の側部プレート２１に設けられている最も下側に位置するルーバ５の基端部との間に所定の間隔を開けた状態で取り付けられているとともに、これら一対の側部プレート２１間に取り付けられた底部プレート２２の長手方向の前端縁よりも、反射板４の長手方向の他端部を前側に突出させた状態とされて取り付けられている。
【００２６】
＜ルーバ＞
また、ケース２の一対の側部プレート２１の各取付スリット２１ｃには、平板状のルーバ５がそれぞれ着脱可能に取り付けられている。これらルーバ５は、一対の側部プレート２１の長手方向の一端間に取り付けられており、反射板４に対向させてそれぞれが平行となるように取り付けられている。また、これらルーバ５は、これらルーバ５の幅方向に直交する前後方向を、反射板４の一端部から他端部に向かう長手方向に対し略直交するように、例えば４５°傾斜させた状態で取り付けられている。さらに、これらルーバ５は、ケース２に取り付けられた状態で、これらルーバ５のうちの最も反射板４に近接して位置する最も底部寄りのルーバ５の前後方向の後端部と反射板４の長手方向の他端部との間に所定の間隙が形成されるように取り付けられている。ここで、この間隙は、図２に示すように、例えばスピーカ装置１のケース２の長手方向を水平方向に沿わせ、このスピーカ装置１の反射板４の反射面４１を水平方向に向けた状態で設置させた場合に、このケース２内へと入り込んだ水や粉塵等を排出させるスリット４３となる。
【００２７】
さらに、これらルーバ５は、図２に示すように、一対の側部プレート２１間に取り付けられた反射板４の反射面４１に対向させて平行に取り付けられており、この反射板４にて反射された音波Ａを反射させて集中または拡散させる音響レンズとしての機能を有している。ここで、これら各ルーバ５によって音響レンズセルが構成されている。具体的に、これらルーバ５は、長手方向である前後方向の前端部が幅方向に向けて円弧状に湾曲されて音波調整手段としての音波集中手段として機能する円弧面部５１が設けられている。この円弧面部５１は、各ルーバ５の反射板４に対向する側である基端側とは反対側の先端部が、音波Ａの進行方向に直交する幅方向に向けて円弧状に湾曲した形状に形成されて設けられている。そして、この円弧面部５１は、各ルーバ５の幅方向の中心位置が最も前側に向けて突出し、これら各ルーバ５の幅方向の中心位置にそって線対称に形成されている。すなわち、この円弧面部５１は、スピーカ部３から発生し反射板４の反射面４１の各位置で前側に向けて平行に反射された各音波Ａのそれぞれの伝搬距離を同一にさせるものである。
【００２８】
そして、各ルーバ５の後端部の両側縁には、これら各ルーバ５の後端部を、一対の側部フレーム２１間に挿入させて取り付けさせる取付段部５２がそれぞれ設けられている。これら取付段部５１間に位置する各ルーバ５の後端部は、一対の側部フレーム２１に挿入可能にさせる凸状の挿入片部５３とされている。さらに、これら各ルーバ５の取付段部５３の角部には、これらルーバ５の前側に向けて切り欠かれた形状の取付スリット５４がそれぞれ設けられている。これら取付スリット５４は、一対の側部プレート２１の取付スリット２１ｃに嵌合させて、これら一対の側部プレート２１間にルーバ５を取り付けるための取付凹部であって、これら各取付スリット５４が平行に設けられている。
【００２９】
＜取付プレート＞
さらに、スピーカ部３とケース２との間には、例えば、電車や自動車等の車両その他の被取付部材にスピーカ装置１を取り付けるための上板としての取付プレート６が取り付けられている。この取付プレート６は、ケース２の一対の側部プレート２１の上側に位置する取付リブ２１ａとスピーカ部３のフレーム３２の取付リブ３２ｂとの間に挟持させて固定させるための略矩形枠状の取付枠部６１を備えている。また、この取付枠部６１の長手方向の一端縁に連続した部分には、ケース２の一対の側部プレート２１の傾斜部２１ｄに載置させ、この傾斜部２１ｄ間を覆うための平板状の傾斜面部６２が一体的に設けられている。さらに、この傾斜面部６２の前後方向の一端縁である前端縁に連続した部分には、平板状の取付片部６３が一体的に設けられている。
【００３０】
ここで、この取付片部６３は、長手方向を上下方向に沿わせ、幅方向をケース２の幅方向に沿わせた状態とされている。そして、この取付片部６３の長手方向の一端縁である上端縁には、一対のねじ取付部６４が設けられている。これらねじ取付部６４は、取付片部６３の上端縁の中央部から各幅方向に向けて等間隔に離間された位置に設けられており、これら各ねじ取付部６４にねじ（図示せず）のねじ部を挿入して被取付部にねじ止め固定させることによって、この被取付部にスピーカ装置１を取り付けさせる。
【００３１】
次に、上記スピーカ装置１の作用効果について説明する。
【００３２】
＜音波の伝搬＞
スピーカ部３から発生させた音波Ａは、図２に示すように、このスピーカ部３の支持ヨーク３１の略中心の位置から、このスピーカ部３のフレーム３２内に放射状に拡散していく。そして、このフレーム３内にて拡散した音波Ａは、反射板４の反射面４１にて反射され、この反射面４１のいずれの位置において反射された各音波Ａのそれぞれの進行方向が水平方向に平行となるように変換されて補正される。ここで、この反射面４１のいずれの位置において反射される各音波Ａの進行方向のそれぞれが水平方向かつ平行に変換されることにより、この音波Ａが上下方向に集中されて絞られる。
【００３３】
そして、この反射板４にて反射された音波Ａは、各ルーバ５の下側に位置する下面にて反射され、これら音波Ａの進行方向が上方向に変換されてから、これら音波Ａを反射させた各ルーバ５の上側に取り付けられた各ルーバ５の上側に位置する上面によって反射され、これら音波Ａの進行方向が水平方向に変換された後に、外部へと放出される。ここで、これら各ルーバ５の円弧面部５１によって、これら各ルーバ５の表面にて反射される際の各位置における音波Ａの伝搬距離が同一に調整され、これら各ルーバ５の間から放出される音波Ａが横方向に集中されて絞られる。
【００３４】
＜水・空気の通路＞
スピーカ装置１を車両に搭載した場合や、このスピーカ装置１を洗浄等する場合に、図３に示すように、このスピーカ装置１のルーバ５が取り付けられている側である前側に、雨等の水Ｄが吹き付けられた際には、これら各ルーバ５の間から入り込んだ水Ｄは、これら各ルーバ５の下面および取付プレート６の傾斜面部６２の下面によって、約４５°下方に傾斜した方向に流れていく。このとき、反射板４の反射面４１上へと流れた水Ｄは、この反射面４１に沿って下方へと流れていく。さらに、各ルーバ５の間に入り込んだ水Ｄは、反射板４の下端縁と、最も下側に取り付けられたルーバ５の後端縁との間のスリット４３を通って、ケース２の外部へと放出される。このため、スピーカ装置１の前側から雨水等の水Ｄが入り込んだ場合においても、この水Ｄがスピーカ装置１のスピーカ部３の内部へと入り込むことがない。
【００３５】
この場合に、スピーカ装置１の各ルーバ５の間から入り込んだ空気Ｂは、上寄りに取り付けられたルーバ５間に入り込んだ場合と、下寄りに取り付けられたルーバ５間に入り込んだ場合とで、流れる方向が異なる。具体的には、上寄りのルーバ５の間に入り込んだ空気Ｂは、これらルーバ５の間を通過した後、反射板４の上端縁とスピーカ部３のフレーム３２の下面との間のスリット４２を通過して、ケース２の外部へと流れていく。一方、下寄りのルーバ５の間に入り込んだ空気Ｂは、これらルーバ５の間を通過した後、反射板４の下端縁と最も下寄りのルーバ５の後端縁との間のスリット４３を通過して、ケース２の外部へと流れていく。このため、これら空気Ｂは、いずれの場合においても、スピーカ部３のフレーム３２内へ入り込まず、このスピーカ部３のコーン等に対する風圧が軽減される。
【００３６】
さらに、図３に示すように、ホース等から水Ｄを放出させて、斜め下方の放出方向Ｃからスピーカ装置１の前面へ水Ｄを放出させた場合においては、最も下側に取り付けられたルーバ５の下面によって、ケース２内への水Ｄの侵入が阻止される。同時に、各ルーバ５の間から入り込んだ水Ｄは、上記のとおり、反射板４と最も下寄りのルーバ５の後端縁との間のスリット４３を通って外部へ排出される。このため、いずれの場合においても、スピーカ部３の内部への水Ｄの侵入のおそれがほとんどない。
【００３７】
＜効果＞
前述のように、本発明のスピーカ装置１によれば、スピーカ部３から発生する音波Ａの進行方向に対向させて取り付けられた反射板４の反射面４１を、この反射板４１の上端側から下端側に進むに連れて徐々に曲率を大きくした凹弧状とし、この反射板４の上端側をスピーカ部３に近接させて設置させたことにより、この反射板４の反射面４１のいずれの位置で音波Ａを反射させる場合においても、この音波Ａを確実に水平方向かつ平行に反射させることができ、これら音波Ａを上下方向に絞って集中させることができる。
【００３８】
さらに、この反射板４の反射面４１にて反射された音波Ａを反射させるルーバ５の前端部を円弧状に湾曲させた形状として円弧面部５１を形成し、これら各ルーバ５を反射板４に対向させて４５°傾斜させて平行に取り付けたことにより、反射板４にて反射された音波Ａが各ルーバ５の上面にて反射されて進行方向が上方に変換されてから、これら音波Ａがルーバ５の下面にて反射されて水平方向に変換される。このため、これら各ルーバ５の円弧面部５１によって、これら各ルーバ５の表面にて反射される際の各位置における音波Ａの伝搬距離を同一に調整することができるため、これら各ルーバ５の間から放出される音波Ａを、簡単な構成で確実に横方向に絞って集中させることができる。
【００３９】
したがって、スピーカ装置１のスピーカ部３から発生させた音波Ａを、湾曲した形状の反射板４と、前端部が円弧状のルーバ５とを用いて反射させることによって、効率良く確実に集中させることができるから、スピーカ部３からの音波Ａを、簡単な構成で確実に集中させることができ、このスピーカ部３から発生した音波Ａの指向性を、簡単な構成で確実に向上することができる。
【００４０】
また、反射板４の反射面４１に対向させて複数のルーバ５を平行に取り付けたことにより、これら各ルーバ５の間から入り込む水Ｄが下方へ流れ、反射板４の下端とルーバ５との間のスリット４３を通過して下方から排出される。同時に、これら各ルーバ５から入り込んだ空気Ｂは、反射板４の上端または下端の各スリット４２，４３を通過して排出される。よって、反射板４の反射面４１へと侵入した雨や埃等の異物を、この反射板４の上端または下端の各スリット４２，４３から確実に外部へ排出することができる。このため、スピーカ部３への水Ｄやゴミ等の異物の侵入を防止することができ、このスピーカ部３の損傷等を効率良く防止することができるとともに、異物の混入によるスピーカ部３、反射板４およびルーバ５のそれぞれの損傷も防止することができる。
【００４１】
すなわち、音波Ａを発生させるスピーカ部３と、このスピーカ部３から発生させた音波Ａを反射等させてから外部へ放出させる反射板４およびルーバ５等の機械的な部分とを離して分離させる構成とし、さらに、スピーカ装置１から放出される音波Ａの伝搬方向と、このスピーカ装置１のケース２内へと入り込んだ水Ｄや空気Ｂ（風圧）の排出方向を異ならせたことにより、スピーカ部３への水Ｄやゴミ等の侵入を確実に防止することができる。
【００４２】
さらに、スピーカ部３のフレーム３２の開口部３２ａに防水ネット３３および防塵ネット３４を取り付けたことにより、この開口部３２ａからの水Ｄや塵埃の侵入を防止することができるとともに、この開口部３２ａへの虫等の侵入も防止することができるため、これら水Ｄ、塵挨および虫等の侵入によるスピーカ部３の損傷等を確実に防止することができる。
【００４３】
また、スピーカ装置１の一対の側部プレート２１に対して各ルーバ５を着脱可能としたことにより、これらルーバ５を一対の側部プレート２１から取り外すことによって、これら一対の側部プレート２１の内部、すなわちスピーカ装置１のケース２内にアクセスすることができるから、このケース２内の掃除やメンテナンスを容易にすることができる。
【００４４】
＜変形例１＞
図４に示す本発明の第２の実施の形態のように、ムクドリが樹木に止まっている場合に樹木の根元から上空に向けて忌避音となる特定の周波数の音波Ａを放出させたい場合においては、スピーカ装置１のルーバ５が取り付けられている側である前側を上方に向けて設置させることもできる。そして、このスピーカ装置１には、このスピーカ装置１のケース２内へと入り込んだ雨水等の水Ｄを排出させるための排水口２３が設けられている。
【００４５】
具体的に、これら排水口２３は、ケース２の各側部プレート２１に設けられている。さらに、これら排水口２３は、各側部プレート２１間に取り付けられている反射板４の長手方向の一端部である下端部に沿って設けられており、この反射板４の反射面４１上へ流れ込んだ水Ｄを各排水口２３からケース２の外部へ排出させることができるように形成されている。すなわち、これら各排水口２３の下端面は、反射板４の反射面４１に沿った円弧状に形成されており、これら各排水口２３の上端面は、水平な直線状に形成され、これら各排水口２３の両側面は、上端面に対して垂直な直線状に形成されている。
【００４６】
したがって、前述のように、スピーカ装置１の前側を上方に向けて固定設置することにより、このスピーカ装置１から上方に向けて音波Ａを集中させて放出させることができる。また、このスピーカ装置１の各ルーバ５間から入り込んだ雨水等の水Ｄが、これらルーバ５の間を通過した後に反射板４の反射面４１上へと流れ、この反射板４の反射面４１の下端部の両側に設けられた各排水口２３と、この反射板４の下端部およびスピーカ部３の間のスリット４２とのそれぞれからケース２の外部へと排出される。よって、このスピーカ装置１を上向きに設置した場合においても、このスピーカ装置１のスピーカ部３への水Ｄや塵挨等の侵入を確実に防止することができる。
【００４７】
＜変形例２＞
図５に示す本発明の第３の実施のように、雪の堆積や霜等の発生のおそれのある寒冷地等の場合においては、スピーカ装置１の反射板４の裏面側に排熱部としての発熱部７を設け、この発熱部７にて反射板４の凍結等を防止することもできる。ここで、この発熱部７は、スピーカ部３から音波Ａを発生させるために必要なアンプや、このアンプのドライバ回路等が好ましく、その他、ニクロム線等を用いた発熱装置であっても良い。
【００４８】
具体的に、この発熱部７は、スピーカ装置１のケース２内に収容されており、このケース２内の反射板４と取付プレート６との間に取り付けられている。すなわち、この発熱部７は、反射板４のスピーカ部３が位置する側とは反対側に取り付けられている。そして、この発熱部７は、反射板４の裏面に当接させて取り付けられており、この反射板４の反射面４１上に堆積した雪や水Ｄ等が、この反射面４１上で凍結することを防止する。また、この発熱部７は、晴天時において反射板４等を加熱することによって、ケース２内の空気を振動させ、このケース２内の余熱を排出させる排熱処理をする。
【００４９】
したがって、前述のように、スピーカ装置１のケース２内の反射板４の裏面に発熱部７を取り付けることによって、この発熱部７として、スピーカ部３から音波Ａを発生させるために必要なアンプや、このアンプのドライバ回路等を用いた場合には、これらアンプやドライバ回路を収容させるケース２や場所を別途設ける必要を無くすことができる。
【００５０】
さらに、発熱部７にて発生した熱を反射板４に伝達させることにより、この反射板４の反射面４１上に堆積した雪を溶かして気化させることができるため、この反射面４１上での雪や水の凍結を防止することができる。また、晴天時においては、発熱部７による反射板４の加熱によって、ケース２内の空気を振動させることができるから、このケース２内で生じた余熱を効率良く排出させることができ、排熱処理できる。
【００５１】
＜その他＞
なお、上記各実施の形態においては、スピーカ装置１のケース２の前側に計４枚のルーバ５を取り付けたが、これらルーバ５は、２枚以上取り付けられていれば良く、これらルーバ５による音波Ａの横方向の集中をより効率良くすることを目的として、例えば８枚または１６枚等のより多くの枚数のルーバ５を取り付けることもできる。
【００５２】
また、これらルーバ５の前端部を幅方向に向けて円弧状に湾曲した円弧面部５１として、これら各ルーバ５にて反射される音波Ａを幅方向に集中させる構成としたが、例えば畑の角部等に固定設置させ、スピーカ装置１から放出される音波Ａを幅方向に拡散させたい場合においては、これら各ルーバ５の前端部を幅方向に向けて凹弧状に湾曲した凹弧面部（図示せず）として、これら各ルーバ５にて反射される音波Ａを幅方向に拡散させる構成とすることもできる。
【００５３】
さらに、ルーバ５の前端部ではなく、これらルーバ５の後端部を円弧状または凹弧状にして、これら各ルーバ５にて反射される音波Ａを集中または拡散させても良い。すなわち、これらルーバ５の形状については、これらルーバ５にて反射させる音波Ａを集中または拡散できる構成であれば、直線状、その他の様々な形状であっても良い。
【００５４】
また、各ルーバ５の後端側を下方に向けて４５°傾斜させて平行に取り付けた構成について説明したが、これらルーバ５の取り付け方向については、いずれの方向であっても良く、例えば、これら各ルーバ５の前端側を下方に向けて４５°傾斜させて平行に取り付けても良い。
【００５５】
さらに、スピーカ装置１を、特定の鳥獣を追い払うための鳥獣撃退装置の音出力部に用いた構成について説明したが、例えば、エンジン音のない電気自動車（ＥＶ）から、周囲にエンジン音を放出させるための音出力部として用いることもできる。
【符号の説明】
【００５６】
１  スピーカ装置
２  ケース
３  スピーカ部
４  反射板
５  ルーバ
６  取付プレート
７  発熱部
２１  側部プレート
２１ａ  取付リブ
２１ｂ  端部リブ
２１ｃ  取付スリット
２１ｄ  傾斜部
２１ｅ  内側面
２２  底部プレート
２２ａ  端部リブ
２２ｂ  側部リブ
２３  排水口
３１  支持ヨーク
３２  フレーム
３２ａ  開口部
３２ｂ  取付リブ
３３  防水ネット
３４  粉塵ネット
４１  反射面
４２  スリット
４３  スリット
５１  円弧面部
５２  取付段部
５３  挿入片部
５４  取付スリット
６１  取付枠部
６２  傾斜面部
６３  取付片部
６４  ねじ取付部
Ａ  音波
Ｂ  空気
Ｃ  放出方向
Ｄ  水
【図１】
0005699303.tif 000002
【図２】
0005699303.tif 000003
【図３】
0005699303.tif 000004
【図４】
0005699303.tif 000005
【図５】
0005699303.tif 000006